(57)【特許請求の範囲】
【請求項１】
１枚の段ボールシート材から形成され、
左右方向に順番に連接され、四角筒状部に組み立てられる上下方向の平均長さが略等しい方形状の第１短辺側面パネル、第１長辺側面パネル、第２短辺側面パネル及び第２長辺側面パネルと、
上記第１短辺側面パネル及び第２短辺側面パネルの上縁及び下縁からそれぞれ延出する方形状の２対の内フラップと、
上記第１長辺側面パネル及び第２長辺側面パネルの上縁及び下縁からそれぞれ延出し、上記内フラップと略等しい上下方向の平均長さを有する方形状の２対の外フラップと
を備える箱用シートであって、
上記第２長辺側面パネルの第２短辺側面パネルと反対側の側縁から延設され、組み立て状態で第１短辺側面パネルの内側に重ねられる方形状の接続パネルと、
この接続パネルの上縁及び下縁からそれぞれ延出し、上記第１短辺側面パネルの上縁及び下縁から延出する１対の内フラップと積層される１対の接続フラップと
をさらに備え、
上記１対の接続フラップが、上下方向先端縁から延在する１対の切り込み線とこの１対の切り込み線の先端間を接続する折り曲げ容易線とによって画定される台形状の第１舌片をそれぞれ有し、
上記第１短辺側面パネルから延出する内フラップが、組み立て状態で上記第１舌片と重なる位置に形成され、かつ上下方向先端縁から延在する１対の切り込み線とこの１対の切り込み線の先端間を接続する折り曲げ容易線とによって画定される台形状の第２舌片をそれぞれ有し、
上記第１舌片の折り曲げ容易線の平均長さと第２舌片の折り曲げ容易線の平均長さとが略等しく、
上記第１舌片及び第２舌片の一方の１対の切り込み線の間隔が、折り曲げ容易線からフラップの先端縁に向かって減少し、
上記第１舌片及び第２舌片の他方の１対の切り込み線の間隔が、折り曲げ容易線からフラップの先端縁に向かって増大し、
上記第２舌片の左右方向中心が第１短辺側面パネルの左右方向中心より第１長辺側面パネルと反対側に位置しており、上記１対の接続フラップとこの１対の接続フラップに積層される１対の内フラップとが互いに固定され、互いに固定された上記接続フラップ及び内フラップが組み立て状態において内側に折り曲げられ、接着剤を用いることなく上記四角筒状部を組み立て可能であることを特徴とする箱用シート。
【請求項２】
上記第１舌片の１対の切り込み線の間隔が折り曲げ容易線から接続フラップの先端縁に向かって減少する請求項１に記載の箱用シート。
【請求項３】
上記接続パネルの左右方向の平均長さが第１短辺側面パネルの左右方向の平均長さと略等しい請求項１又は請求項２に記載の箱用シート。
【請求項４】
上記第２舌片の上下方向の平均長さが内フラップの上下方向の平均長さの３０％以上６０％以下であり、上記折り曲げ容易線の平均長さが内フラップの左右方向の平均長さの１０％以上３０％以下である請求項１から請求項３のいずれか１項に記載の箱用シート。
【請求項５】
上記接続パネルの上下方向の平均長さが第２長辺側面パネルの上下方向の平均長さより小さく、上記接続パネルの上下方向の平均長さと第２長辺側面パネルの上下方向の平均長さとの差が段ボールシート材の平均厚さの１倍以上３倍以下である請求項１から請求項４のいずれか１項に記載の箱用シート。
【発明の詳細な説明】
【技術分野】
【０００１】
本発明は、箱用シートに関する。
【背景技術】
【０００２】
段ボールシート材から形成される箱体（段ボール箱）が、各種の物品を収容するために広く利用されている。このような箱体としては、１枚の段ボールシート材から形成され、４枚の側面パネルが四角筒状に接続されるものが特に数多く利用されている。
【０００３】
このような箱体は、一般に、一列に連設される４枚の側面パネルから形成される周壁形成部とこの周壁形成部の一方側の端縁に連設される継ぎしろとを備え、この継ぎしろが周壁構成部の他方側の端部の裏面に例えば接着剤、ステープラー等を用いて固定されることで、４枚の側面パネルが無端状に半永久的に接続される。このような段ボール箱用シートは、自動包装機を用いて大量に段ボール箱を組み立てる場合を除いて、一般的には４枚の側面パネルが予め四角筒状に接続された状態でユーザーに提供される。
【０００４】
しかしながら、段ボール箱の用途によっては、一度箱状に組み立てたものを再度平板状に展開することができることが望ましい場合もある。具体的には、例えば段ボールシート材の表裏を逆にして箱体を組み立て直したい場合等が考えられる。箱体を平板状に再展開可能な箱用シートとしては、例えば実公昭３９−２８４９５号公報に、一列に連設される４枚の側面パネルからなる周壁構成部の一端にスリットを有する突片を連設し、周壁構成部の他端に上記スリットに係合するフック状の突起を連設した段ボール製組み立て携帯箱が記載されている。
【０００５】
上記公報に記載の箱用シートは、突起をスリットに抜き差しする作業が繁雑であり、箱体を展開する際に誤って突起を破断してしまうおそれもある。また、上記公報に記載の箱用シートは、周壁にスリットを設けるため、箱体の強度を大きくすることが難しいという不都合も有する。
【先行技術文献】
【特許文献】
【０００６】
【特許文献１】実公昭３９−２８４９５号公報
【発明の概要】
【発明が解決しようとする課題】
【０００７】
上記不都合に鑑みて、本発明は、組み立て及び展開が比較的容易であり、かつ形成される箱体の強度が比較的大きい箱用シートを提供することを課題とする。
【課題を解決するための手段】
【０００８】
そこで、上記課題を解決するためになされた発明は、１枚の段ボールシート材から形成され、左右方向に順番に連設され、四角筒状に組み立てられる上下方向の平均長さが略等しい方形状の第１短辺側面パネル、第１長辺側面パネル、第２短辺側面パネル及び第２長辺側面パネルと、上記第１短辺側面パネル及び第２短辺側面パネルの上縁及び下縁からそれぞれ縁出する方形状の２対の内フラップと、上記第１長辺側面パネル及び第２長辺側面パネルの上縁及び下縁からそれぞれ縁出し、上記内フラップと略等しい上下方向の平均長さを有する方形状の２対の外フラップとを備える箱用シートであって、上記第２長辺側面パネルの第２短辺側面パネルと反対側の側縁から延設され、組み立て状態で第１短辺側面パネルの内側に重ねられる方形状の接続パネルと、この接続パネルの上縁及び下縁からそれぞれ延出する１対の接続フラップとをさらに備え、上記１対の接続フラップが、上下方向先端縁から延在する１対の切り込み線とこの１対の切り込み線の先端間を接続する折り曲げ容易線とによって画定される台形状の第１舌片をそれぞれ有し、上記第１短辺側面パネルから延出する内フラップが、組み立て状態で上記第１舌片と重なる位置に形成され、かつ上下方向先端縁から延在する１対の切り込み線とこの１対の切り込み線の先端間を接続する折り曲げ容易線とによって画定される台形状の第２舌片をそれぞれ有し、上記第１舌片の折り曲げ容易線の平均長さと第２舌片の折り曲げ容易線の平均長さとが略等しく、上記第１舌片及び第２舌片の一方の１対の切り込み線の間隔が、折り曲げ容易線からフラップの先端縁に向かって減少し、上記第１舌片及び第２舌片の他方の１対の切り込み線の間隔が、折り曲げ容易線からフラップの先端縁に向かって増大することを特徴とする箱用シートである。
【０００９】
当該箱用シートは、上記第１短辺側面パネル及びこの第１短辺側面パネルから延出する１対の内フラップの内面に接続パネル及び１対の接続フラップを重ね合わせた状態で、上記第１舌片及び第２舌片を切り込み線の間隔が先端縁に向かって減少する舌片の側に折り曲げることによって、切り込み線の間隔が先端縁に向かって増大する舌片の両側部を切り込み線の間隔が先端縁に向かって減少する舌片を有するフラップの舌片の両側部分に係合させて内フラップと接続フラップとを固定することができる。これにより、当該箱用シートは、比較的容易に第１短辺側面パネルと接続パネルとを積層状態に固定して４つの側面パネルを四角筒状に接続できるので、比較的容易に箱状に組み立てることができる。また、このようなフラップと舌片との係合は、比較的容易に解消することができるため、当該箱用シートは、組み立て状体から比較的容易に展開して平板状に戻すことができる。さらに、当該箱用シートは、組み立て及び封函の際には、内フラップ及び接続フラップの積層体が第１短辺側面パネル及び接続パネルに対して折り曲げられるので、第１短辺側面パネルと接続パネルとの密着状態がより強固となる。このように、当該箱用シートの第１短辺側面パネルと第２長辺側面パネルとが組み立て状体で接続パネルを介してその上下方向略全体に亘って切れ目なく堅固に接続されるので、当該箱用シートを組み立ててなる箱体は比較的強度が大きい。
【００１０】
上記第１舌片の１対の切り込み線の間隔が、折り曲げ容易線から接続フラップの先端縁に向かって減少するとよい。このように、上記第１舌片の１対の切り込み線の間隔が、折り曲げ容易線から接続フラップの先端縁に向かって減少することによって、組み立て時に第２舌片を接続パネルに係合させることになる。このため、当該箱用シートは、組み立て状体で第１舌片及び第２舌片が箱体の内側に突出するため、内フラップと外フラップとを密着させることができ、箱体に隙間を生じさせ難い。
【００１１】
上記接続パネルの左右方向の平均長さが第１短辺側面パネルの左右方向の平均長さと略等しいとよい。このように、上記接続パネルの左右方向の平均長さが第１短辺側面パネルの左右方向の平均長さと略等しいことによって、第１短辺側面パネルと接続パネルとの重複免責が大きくなり、当該箱用シートを組み立ててなる箱体の座屈強度を向上することができる。
【００１２】
上記折り曲げ容易線からフラップの先端縁に向かって間隔が減少する１対の切り込み線間の平均角度としては１５°以下が好ましく、上記折り曲げ容易線からフラップの先端縁に向かって間隔が増大する１対の切り込み線間の平均角度としては１５°以上４５°以下が好ましい。このように、上記折り曲げ容易線からフラップの先端縁に向かって間隔が減少する１対の切り込み線間の平均角度及び上記折り曲げ容易線からフラップの先端縁に向かって間隔が増大する１対の切り込み線間の平均角度をそれぞれ上記範囲内とすることによって、舌片のフラップへの係合が比較的容易かつ確実となる。このため、当該箱用シートは、より組み立てが容易でより強度に優れる箱体を形成することができる。
【００１３】
上記第２舌片の上下方向の平均長さとしては、内フラップの上下方向の平均長さの３０％以上６０％以下が好ましく、上記折り曲げ容易線の平均長さとしては、内フラップの左右方向の平均長さの１０％以上３０％以下が好ましい。このように、上記第２舌片の上下方向の平均長さ及び上記折り曲げ容易線の平均長さをそれぞれ上記範囲内とすることによって、フラップと接続フラップとをより確実に固定することができる。
【００１４】
上記第２舌片の左右方向中心が第１短辺側面パネルの左右方向中心より第１長辺側面パネルと反対側に位置するとよい。このように、上記第２舌片の左右方向中心が第１短辺側面パネルの左右方向中心より第１長辺側面パネルと反対側に位置することによって、側面パネルを四角筒状に組み立てる際に第１短辺側面パネルが接続パネルから浮き上がりに難いため、組み立てがより容易となる。
【００１５】
上記接続パネルの上下方向の平均長さが第２長辺側面パネルの上下方向の平均長さより小さいとよく、上記接続パネルの上下方向の平均長さと第２長辺側面パネルの上下方向の平均長さとの差としては、段ボールシート材の平均厚さの１倍以上３倍以下が好ましい。このように、上記接続パネルの上下方向の平均長さが第２長辺側面パネルの上下方向の平均長さより小さく、上記接続パネルの上下方向の平均長さと第２長辺側面パネルの上下方向の平均長さとの差が上記範囲内であることによって、内フラップ及び接続フラップを密着させたまま第１短辺側面パネル及び接続パネルに対して折り曲げることが容易となる。
【００１６】
ここで、長さが「略等しい」とは、長さの差の絶対値が比較対象の長さの５％以下、好ましくは３％以下であることを意味する。
【発明の効果】
【００１７】
本発明の箱用シートは、組み立て及び展開が比較的容易であり、かつ形成される箱体の強度が比較的大きい。
【図面の簡単な説明】
【００１８】
【図１】本発明の一実施形態の箱用シートを示す模式的平面図（展開図）である。
【図２】図１の箱用シートの組み立て工程を示す模式的斜視図である。
【図３】図１の箱用シートの図２の次の組み立て工程を示す模式的斜視図である。
【図４】図１の箱用シートの図３の次の組み立て工程を示す模式的断面図である。
【図５】図１の箱用シートを組み立ててなる箱体の模式的断面図である。
【発明を実施するための形態】
【００１９】
以下、適宜図面を参照しつつ、本発明の実施の形態を詳説する。
【００２０】
［箱用シート］
図１に、本発明の一実施形態に係る箱用シートを示す。当該箱用シートは、１枚の段ボールシート材から形成される。なお、図１において、太い実線は段ボールシート材を切断したエッジを示し、細い実線は段ボールシート材の内面側に筋押しして形成される罫線を示す。
【００２１】
上記段ボールシート材としては、１枚の中芯の両側を１対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２２】
当該箱用シートにおいて、段ボールシート材は、箱体の座屈強度を向上するために、中芯の稜線が上下方向に延在するよう配向されることが好ましい。
【００２３】
当該箱用シートは、左右方向に順番に連設され、四角筒状に組み立てられる上下方向の平均長さが略等しい方形状の第１短辺側面パネル１、第１長辺側面パネル２、第２短辺側面パネル３及び第２長辺側面パネル４を備える。第１短辺側面パネル１及び第２短辺側面パネル３の左右方向の長さは、互いに略等しい。また、第１長辺側面パネル２及び第２長辺側面パネル４の左右方向の長さは、互いに略等しくかつ第１短辺側面パネル１及び第２短辺側面パネル３の左右方向の長さ以上とされる。なお、「左右方向」とは、側面パネル１〜４の連接方向を意味し、「上下方向」とは「左右方向」に直交する方向を意味し、当該箱用シートの使用状態における向きや段ボールシートの中芯の向きを限定するものではない。
【００２４】
また、当該箱用シートは、上記第１短辺側面パネル１及び第２短辺側面パネル３の上縁及び下縁からそれぞれ縁出する方形状の２対の内フラップ（第１内フラップ５，６及び第２内フラップ７，８）と、上記第１長辺側面パネル２及び第２長辺側面パネル４の上縁及び下縁からそれぞれ縁出し、上記内フラップ５〜８と略等しい上下方向の平均長さを有する方形状の２対の外フラップ（第１外フラップ９，１０及び第２外フラップ１１，１２）とをさらに備える。内フラップ５〜８及び外フラップ９から１２の上下方向の長さ（側面パネル１〜４からの延出長さ）は、短辺側面パネル１，３の左右方向の長さの略１／２とされる。
【００２５】
さらに、当該箱用シートは、上記第２長辺側面パネル４の第２短辺側面パネル３と反対側の側縁から延設され、組み立て状態で第１短辺側面パネル１の内側に重ねられる方形状の接続パネル１３と、この接続パネル１３の上縁及び下縁からそれぞれ延出する１対の接続フラップ１４，１５とをさらに備える。
【００２６】
当該箱用シートにおいて、上記１対の接続フラップ１４，１５は、上下方向先端縁から延在する１対の切り込み線１６とこの１対の切り込み線１６の先端間を接続するよう形成される罫線からなる折り曲げ容易線１７とによって画定される台形状の第１舌片１８をそれぞれ有する。
【００２７】
また、上記第１短辺側面パネル１から延出する第１内フラップ５，６は、組み立て状態で上記第１舌片１８と重なる位置に形成され、かつ上下方向先端縁から延在する１対の切り込み線１９とこの１対の切り込み線１９の先端間を接続するよう形成される罫線からなる折り曲げ容易線２０とによって画定される台形状の第２舌片２１をそれぞれ有する。
【００２８】
＜接続パネル＞
上記接続パネル１３は、上下方向の長さが側面パネル１〜４の上下方向の長さよりも小さいことが好ましい。接続パネル１３の上下方向の平均長さと側面パネル１〜４の上下方向の平均長さとの差の下限としては、段ボールシート材の平均厚さの１倍が好ましく、１．５倍がより好ましい。一方、接続パネル１３の上下方向の平均長さと側面パネル１〜４の上下方向の平均長さとの差の上限としては、段ボールシート材の平均厚さの３倍が好ましく、２．５倍がより好ましい。接続パネル１３の上下方向の平均長さと側面パネル１〜４の上下方向の平均長さとの差が上記下限に満たない場合、第１内フラップ５，６及び接続フラップ１４，１５を第１短辺側面パネル１及び接続パネル１３に対して折り曲げることが容易でなくなるおそれがある。逆に、接続パネル１３の上下方向の平均長さと側面パネル１〜４の上下方向の平均長さとの差が上記上限を超える場合、第１内フラップ５，６及び接続フラップ１４，１５を第１短辺側面パネル１及び接続パネル１３に対して折り曲げたときに第１内フラップ５，６と接続フラップ１４，１５との間に隙間が形成され、箱体に歪みが生じたり、強度が低下するおそれがある。
【００２９】
上記接続パネル１３は、左右方向の長さが第１短辺側面パネル１の左右方向の長さと略等しいことが好ましい。このように、上記接続パネル１３が第１短辺側面パネル１と略等しい左右方向の長さを有することによって、当該箱用シートを箱状に組み立てたときに箱体の上下方向に垂直な平面視で長手方向一方側の端壁の略全面的が二重となるので、箱体の座屈強度を向上することができる。
【００３０】
接続パネル１３と１対の接続フラップ１４，１５との上下方向の合計長さは、第１短辺側面パネル１と一つの第１内フラップ５，６との上下方向の合計長さと等しいことが好ましい。つまり、接続フラップ１４，１５の上下方向の長さは、内フラップ５〜８及び外フラップ９〜１２の上下方向の長さよりも大きいことが好ましい。接続パネル１３と１対の接続フラップ１４，１５との上下方向の合計長さと第１短辺側面パネル１と一つの第１内フラップ５，６との上下方向の合計長さとが等しいことによって、フラップ５，９，７，１１，１４の先端縁及びフラップ６，１０，８，１２，１５の先端縁がそれぞれ直線上に配置されるため、各フラップの先端縁を例えばスリッター等によって容易に形成することができ、製造コストを低減できる。
【００３１】
＜舌片＞
上記第１舌片１８の折り曲げ容易線１７の平均長さと第２舌片２１の折り曲げ容易線２０の平均長さとは、互いに略等しい。また、上記第１舌片１８の１対の切り込み線１６の間隔は、折り曲げ容易線１７から接続フラップ１４，１５の先端縁に向かって減少する。一方、上記第２舌片２１の１対の切り込み線１９の間隔は、折り曲げ容易線２０から第１内フラップ５，６の先端縁に向かって増大する。つまり、第１舌片１８は先端縁に向かって縮幅し、第２舌片２１は先端縁に向かって拡幅する。
【００３２】
先端縁に向かって縮幅する第１舌片１８の１対の切り込み線１６間の平均角度の下限としては、３°が好ましく、５°がより好ましい。一方、第１舌片１８の１対の切り込み線１６間の平均角度の上限としては、１５°が好ましく、１２°がより好ましい。第１舌片１８の１対の切り込み線１６間の平均角度が上記下限に満たない場合、組み立て時に接続フラップ１４，１５の第１舌片１８の両側部分への第２舌片２１の係合が不十分となるおそれがある。逆に、第１舌片１８の１対の切り込み線１６間の平均角度が上記上限を超える場合、接続フラップ１４，１５の第１舌片１８の両側部分への第２舌片２１の係合が容易でなくなるおそれがある。
【００３３】
先端縁に向かって拡幅する第２舌片２１の１対の切り込み線１９間の平均角度の下限としては、１５°が好ましく、２０°がより好ましい。一方、第２舌片２１の１対の切り込み線１９間の平均角度の上限としては、４５°が好ましく、４０°がより好ましい。第２舌片２１の１対の切り込み線１９間の平均角度が上記下限に満たない場合、組み立て時に接続フラップ１４，１５の第１舌片１８の両側部分への第２舌片２１の係合が不十分となるおそれがある。逆に、第２舌片２１の１対の切り込み線１９間の平均角度が上記上限を超える場合、接続フラップ１４，１５の第１舌片１８の両側部分への第２舌片２１の係合が容易でなくなるおそれがある。
【００３４】
第２舌片２１の上下方向の平均長さ（折り曲げ容易線２０と先端縁との平均距離）の下限としては、第１内フラップ５，６の上下方向の平均長さの３０％が好ましく、４０％がより好ましい。一方、第２舌片２１の上下方向の平均長さの上限としては、第１内フラップ５，６の上下方向の平均長さの６０％が好ましく、５０％がより好ましい。第２舌片２１の上下方向の平均長さが上記下限に満たない場合、第２舌片２１が接続フラップ１４，１５から脱離し易くなるおそれがある。逆に、第２舌片２１の上下方向の平均長さが上記上限を超える場合、接続フラップ１４，１５の第１舌片１８の両側部分への第２舌片２１の係合が容易でなくなるおそれがある。
【００３５】
第１舌片１８の上下方向の平均長さは、第２舌片２１の上下方向の平均長さよりも大きいことが好ましい。第１舌片１８の上下方向の平均長さと第２舌片２１の上下方向の平均長さとの差の下限としては、段ボールシート材の平均厚さの０．３倍が好ましく、０．６倍がより好ましい。一方、第１舌片１８の上下方向の平均長さと第２舌片２１の上下方向の平均長さとの差の上限としては、段ボールシート材の平均厚さの２倍が好ましく、１．５倍がより好ましい。第１舌片１８の上下方向の平均長さと第２舌片２１の上下方向の平均長さとの差が上記下限に満たない場合、第１内フラップ５，６及び接続フラップ１４，１５を第１短辺側面パネル１及び接続パネル１３に対して折り曲げたときに、第２舌片２１が接続フラップ１４，１５に過度に食い込んで、第２舌片２１又は接続フラップ１４，１５が破断するおそれがある
【００３６】
第１舌片１８の折り曲げ容易線１７及び第２舌片２１の折り曲げ容易線２０の平均長さの下限としては、第１内フラップ５，６の左右方向の平均長さの１０％が好ましく、１５％がより好ましい。一方、折り曲げ容易線１７，２０の平均長さの上限としては、第１内フラップ５，６の左右方向の平均長さの３０％が好ましく、２０％がより好ましい。折り曲げ容易線１７，２０の平均長さが上記下限に満たない場合、第１舌片１８及び第２舌片２１の強度が不十分となるおそれがある。逆に、折り曲げ容易線１７，２０の平均長さが上記上限を超える場合、接続フラップ１４，１５の第１舌片１８の両側部分への第２舌片２１の係合が容易でなくなるおそれがある。
【００３７】
第２舌片２１は、その左右方向中心が第１短辺側面パネル１の左右方向中心より第１長辺側面パネルと反対側に位置することが好ましい。換言すると、第２舌片２１は、当該箱用シートを組み立てた箱体において第１長辺側面パネル２よりも第２長辺側面パネル４に近くなるように配置することが好ましい。このような構成により、当該箱用シートを四角筒状に組み立てる際に、第１短辺側面パネル１のうち、段ボールシート材の復元力により接続パネル１３から浮き上がり易い側で第１内フラップ５，６と接続フラップ１４，１５とを固定し、第１短辺側面パネル１が接続パネル１３から浮き上がりに難くできるため、当該箱用シートの箱体への組み立てがより容易となる。
【００３８】
＜組み立て方法＞
当該箱用シートを箱状に組み立てる場合、先ず、第１短辺側面パネル１、第１長辺側面パネル２、第２短辺側面パネル３、第２長辺側面パネル４及び接続パネル１３の各境界線に沿って折り曲げて、接続パネル１３の外面に第１短辺側面パネル１を重ねることにより、図２に示すように、第１短辺側面パネル１、第１長辺側面パネル２、第２短辺側面パネル３及び第２長辺側面パネル４を無端状に連接した四角筒状部を形成する。これにより、当該箱用シート全体が四角筒状となり、接続フラップ１４，１５の外面に第１内フラップ５，６が重ねられることで、第１舌片１８の外面に第２舌片２１が重ねられる。
【００３９】
続いて、図３に示すように、第１舌片１８及び第２舌片２１を一体に内側に折り曲げる。このとき、第２舌片２１は、第１舌片１８からはみ出す左右方向両側部が折り曲げられるようにして、接続フラップ１４，１５の第１舌片１８を折り曲げた後に形成される凹部を通過する。折り曲げ容易線２０に沿って接続フラップ１４，１５の裏面側に折り曲げられた第２舌片２１は、段ボールシート材の弾性により左右方向両側部が再度広がり、接続フラップ１４，１５の第１舌片１８の両側部分に係止されることで、接続フラップ１４，１５の表面側に戻ることが防止される。これにより、接続フラップ１４，１５の外面側に第１内フラップ５，６が重ねられた状態で固定される。
【００４０】
その後、下側の第１内フラップ６及び接続フラップ１５の積層体と第１内フラップ６とを、９０°内側に折り曲げてから、これらの内フラップ６，８の外面側に第１外フラップ１０及び第２外フラップ１２を折り重ねることで、図４に示すように、四角筒状部の下端を封止する底部を形成する。
【００４１】
このとき、接続パネル１３の上下方向の長さが４枚の側面パネル１〜４の上下方向の長さよりも小さいことで、第１内フラップ６及び接続フラップ１５を折り曲げたときに、第２舌片２１が第１舌片１８に対して第１短辺側面パネル１側に位置ずれする。これにより、第２舌片２１の両側縁が、接続フラップ１５の１対の切り込み線１６の先端部分（折り曲げ容易線１７の両端部分）に食い込むことで、第１内フラップ６と接続フラップ１５とがより堅固に接続される。
【００４２】
また、この状態で、第１内フラップ６及び接続フラップ１５は、長辺側面パネル２，４に挟み込まれて左右方向の移動が規制される。これにより、第１短辺側面パネル１と接続パネル１３との積層状態がより確実に保持される。
【００４３】
この箱体の内部に物品を収容したなら、上側の第１内フラップ５及び接続フラップ１４の積層体と第１内フラップ７とを９０°内側に折り曲げてから、これらの内フラップ５，７の外面側に第１外フラップ９及び第２外フラップ１１を折り重ねることで、図５に示すように四角筒状部の上端を封止する蓋部を形成し、箱体を封函することができる。
【００４４】
＜利点＞
以上のように、当該箱用シートは、第１短辺側面パネル１及びこの第１短辺側面パネルから延出する１対の第１内フラップ５，６の内面に接続パネル１３及び１対の接続フラップ１４，１５を重ね合わせた状態で、第１舌片１８及び第２舌片２１を切り込み線１６の間隔が先端縁に向かって減少する第１舌片１８の側に折り曲げることによって、切り込み線１９の間隔が先端縁に向かって増大する第２舌片２１の両側部を接続フラップ１４，１５の第１舌片１８の両側部分に係合させて第１内フラップ５，６と接続フラップ１４，１５とを容易かつ確実に固定することができる。
【００４５】
これにより、当該箱用シートは、比較的容易に第１短辺側面パネル１と接続パネル１３とを積層状態に固定して４つの側面パネル１〜４を四角筒状に接続できるので、比較的容易に箱状に組み立てることができる。また、このような接続フラップ１４と第２舌片２１との係合は、比較的容易に解消することができるため、当該箱用シートは、組み立て状体から比較的容易に展開して平板状に戻すことができる。
【００４６】
また、当該箱用シートは、組み立て及び封函の際には、第１内フラップ５，６及び接続フラップ１４，１５の積層体が第１短辺側面パネル１及び接続パネル１３の積層体に対して折り曲げられるので、第１短辺側面パネル１と接続パネル１３との密着状態がより強固になる。このように、当該箱用シートの第１短辺側面パネル１と第２長辺側面パネル４とは、組み立て状体で、接続パネル１３を介してその上下方向略全体に亘って切れ目なく堅固に接続されるので、当該箱用シートを組み立ててなる箱体は比較的強度が大きい。
【００４７】
このように、接着剤等を用いることなく比較的容易に組み立て及び展開ができる当該箱用シートは、一度箱状に組み立ててから展開されたものを、表裏を逆にして箱状に組み立て直すことができる。これにより、箱体の外面に例えば収容した物品に関する情報等をメモする場合に、箱体のメモスペースを通常のＡ式段ボール箱の２倍に拡張することができる。また、箱体の外面をメモ代わりに使用した箱体を表裏を逆にして組み立て直し、輸送用の箱体として再利用することもできる。
【００４８】
また、当該箱用シートは、フラップ５，９，７，１１，１４の先端縁及びフラップ６，１０，８，１２，１５の先端縁がそれぞれ直線上に配置されるため、最も普及しているＡ式段ボール箱用シートの製造設備を用いて比較的容易かつ安価に製造することができる。
【００４９】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５０】
当該箱用シートは、上記実施形態のように、第１舌片の１対の切り込み線の間隔が折り曲げ容易線から接続フラップの先端縁に向かって減少し、第２舌片の１対の切り込み線の間隔が折り曲げ容易線から内フラップの先端縁に向かって増大することが好ましいが、第２舌片の１対の切り込み線の間隔が折り曲げ容易線から内フラップの先端縁に向かって減少し、第１舌片の１対の切り込み線の間隔が折り曲げ容易線から接続フラップの先端縁に向かって増大してもよい。
【００５１】
当該箱用シートにおいて、第１舌片及び第２舌片の１対の切り込みは、湾曲又は屈曲していてもよい。
【００５２】
また、当該箱用シートにおいて、舌片の折り曲げ容易線は、例えばミシン目状の切り込み等であってもよい。
【００５３】
当該箱用シートにおいて、接続フラップの左右方向の長さは、第１短辺側面パネルの左右方向の長さよりも明確に短くてもよい。また、接続フラップの形状は、第１舌片を有し、第２舌片を係止する部分を有するものであれば方形でなくてもよい。
【産業上の利用可能性】
【００５４】
本発明の箱用シートは、一度組み立てた箱体を再び平板状に展開したい場合に特に好適に利用することができる。
【符号の説明】
【００５５】
１  第１短辺側面パネル
２  第１長辺側面パネル
３  第２短辺側面パネル
４  第２長辺側面パネル
５，６  第１内フラップ
７，８  第２内フラップ
９，１０  第１外フラップ
１１，１２  第２外フラップ
１３  接続パネル
１４，１５  接続フラップ
１６，１９  切り込み線
１７，２０  折り曲げ容易線
１８  第１舌片
２１  第２舌片
【図１】
0006676421.tif 000002
【図２】
0006676421.tif 000003
【図３】
0006676421.tif 000004
【図４】
0006676421.tif 000005
【図５】
0006676421.tif 000006